(57)【特許請求の範囲】
【請求項１】
被験者の親指と他の指で互いに指先を近接させてＯリングを形成し、互いに近接した指先を互いに離間させようとする外力と上記Ｏリングを維持しようとする被験者の筋力とを拮抗させた状態で、上記Ｏリングを維持しようとする被験者の筋力の変化を測定するバイ・ディジタルＯリングテストに用いる疾病診断装置において、
周波数を可変して検査信号を生成する周波数発信器と、
上記周波数発信器に接続され、被験者に上記検査信号を供給するため、上記被験者に取り付けられる取付端子と、
疾病に対応させた周波数が記憶されたメモリと、
指先が外力により離間したことを検出する検出スイッチと、
上記検出スイッチが指先が外力により離間したことを検出したとき、上記メモリに記憶された周波数の中から指先が外力により離間したときの上記周波数発信器の周波数に近似した周波数を選択する制御部と、
上記制御部が選択した周波数に対応した疾病に関連する情報を表示する表示部とを備える疾病診断装置。
【請求項２】
上記取付端子は、上記被験者に直接又は間接的に取り付けられることを特徴とする請求項１記載の疾病診断装置。
【請求項３】
上記表示部は、上記制御部が選択した周波数を表示することを特徴とする請求項１又は請求項２記載の疾病診断装置。
【請求項４】
上記表示部は、上記制御部が選択した周波数に対応する疾病名を表示することを特徴とする請求項１乃至請求項３のうち何れか１項記載の疾病診断装置。
【請求項５】
上記表示部は、上記周波数発信器の現在の周波数を表示することを特徴とする請求項１乃至請求項４のうち何れか１項記載の疾病診断装置。
【請求項６】
上記メモリは、装置本体に対して着脱可能であることを特徴とする請求項１乃至請求項５のうち何れか１項記載の疾病診断装置。
【発明の詳細な説明】
【０００１】
【発明の属する技術分野】
本発明は、被験者の疾病を診断する疾病診断装置に関する。
【０００２】
【従来の技術】
従来、医療の診断において、バイ・ディジタルＯリングテスト（以下、Ｏリングテストともいう。）がある。このＯリングテストは、筋トーヌス状態を利用したテストであり、被験者の親指と他の指で互いに指先を近接させてＯリングを形成し、互いに近接した指先を互いに離間させるように外力を加え、上記Ｏリングを維持しようとする被験者の筋力とを拮抗させて、被験者の指の筋力の強弱を判定するテストである。そして、Ｏリングテストでは、Ｏリングがすぐ開く場合、身体が異常であり、Ｏリングがすぐ開かない場合、身体が正常であるとし、Ｏリングが開くときに必要な外力の強弱を判定することで、疾病を判断することができる。
【０００３】
被験者にある特定のサンプルを持たせてＯリングテストを行うと、被験者の体内に同じ物質がある場合、指の筋力が弱くなり、Ｏリングはすぐに開く。例えば、細菌やウィルスを被験者に持たせた場合に、Ｏリングがすぐに開くと、被験者が当該細菌やウィルスを保有していることになり、これにより、医師は、疾病を診断することができる。また、特定の薬剤を被験者に持たせた場合に、Ｏリングがすぐに開くと、被験者が持っている薬剤が被験者が内服している薬剤が一致していることになり、医師は、これにより薬効や副作用を診断することができる。このように、被験者は持っているサンプルと被験者の体内にある物質とが一致しているとき、Ｏリングがすぐに開くのは、これらの物質同士が共鳴するためである。
【０００４】
以上のようなＯリングテストを用いることにより、有効薬剤の決定と最適量の決定、薬物の生体内分布、薬剤の経年変化、薬剤の副作用の判断、多剤併用に伴う薬剤の薬効と副作用の判断等を行うことができ、Ｏリングテストは、診断と治療に有益な指針を与えるものである。
【０００５】
【発明が解決しようとする課題】
しかしながら、被験者の疾病名の特定や、病変部分を特定するには、多くのウィルス、薬剤等のサンプルを被験者に持たせてＯリングテストを繰り返す必要がある。また、最適な処方を行うには、薬剤等を被験者に服用させて、個別的に薬効や副作用を確認する必要がある。このため、Ｏリングテストによって、疾病名や病変部分を特定し、また、最適な処方を行うには、非常に多くの手間と時間が必要となる。
【０００６】
また、多くのウィルス、化学物質、薬品等のサンプルをＯリングテストとの対比で判断する診断や治療方法は、結果を数値や文字で表現できるものではなく、経験的な感に頼らざる得ないところである。
【０００７】
そこで、本発明は、被験者の共振周波数やＯリングテストを組み合わせて被験者の周波数を測定することによって、Ｏリングテストのみで診断を行う場合より、容易で迅速に被験者の診断を行うことができる疾病診断装置を提供することを目的とする。
【０００８】
【課題を解決するための手段】
本発明に係る疾病診断装置は、上述した課題を解決すべく、被験者の親指と他の指で互いに指先を近接させてＯリングを形成し、互いに近接した指先を互いに離間させようとする外力と上記Ｏリングを維持しようとする被験者の筋力とを拮抗させた状態で、上記Ｏリングを維持しようとする被験者の筋力の変化を測定するバイ・ディジタルＯリングテストに用いる疾病診断装置において、周波数を可変して検査信号を生成する周波数発信器と、上記周波数発信器に接続され、被験者に上記検査信号を供給するため、上記被験者に取り付けられる取付端子と、疾病に対応させた周波数が記憶されたメモリと、指先が外力により離間したことを検出する検出スイッチと、上記検出スイッチが指先が外力により離間したことを検出したとき、上記メモリに記憶された周波数の中から指先が外力により離間したときの上記周波数発信器の周波数に近似した周波数を選択する制御部と、上記制御部が選択した周波数に対応した疾病に関連する情報を表示する表示部とを備える。
【００１３】
以上のような疾病診断装置によれば、外力により指先が開いたときの周波数を検出することで、Ｏリングテストを、経験に頼ることなく、迅速に行うことができる。
【００１４】
【発明の実施の形態】
以下、本発明が適用された疾病診断装置について、図面を参照して説明する。
【００１５】
図１乃至図４を用いて説明する本発明の参考例となる疾病診断装置１０は、身体が発する共振周波数が疾病により異なることに基づいて、患者の共振周波数を検出し、患者の疾病を診断するものである。すなわち、健康な人体の共振周波数は、シューマンにより測定された地球の共振周波数７．５Ｈｚと同じ７．５Ｈｚと見ることができる。疾病を有する人体の共振周波数は、この７．５Ｈｚより大きく又は小さくなる。本発明の参考例となる疾病診断装置１０は、被験者である患者の共振周波数を検出して、この検出した共振周波数を予めメモリ内のテーブルに格納された疾病に対応した身体の共振周波数と比較し、患者の共振周波数に最も近似した共振周波数をテーブルの中から選択し、疾病を診断するものである。
【００１６】
本発明の参考例となる疾病診断装置１０は、図１に示すように、周波数を可変して検査信号を生成する周波数発信器１１と、周波数発信器１１に接続され、被験者である患者１に検査信号を供給するため患者１に取り付けられるプラス側取付端子１２ａとマイナス側取付端子１２ｂと、周波数検出器１１とプラス側取付端子１２ａとの間に接続され、患者１の共振周波数を検出する検出部１３と、疾病に対応させた身体の共振周波数が記憶されたメモリ１４と、メモリ１４に記憶された共振周波数の中から検出部１３から供給された共振周波数に近似した共振周波数を選択する制御部１５と、制御部１５が選択した共振周波数に関連する情報を表示する表示部１６とを備える。
【００１７】
そして、疾病診断装置１０は、図２に示すように、患者１が着座した状態で両手首２，３にプラス側取付端子１２ａとマイナス側取付端子１２ｂとを直接的、すなわち肌に接するように取り付けることによって、患者１の共振周波数を測定することができる。その他、疾病診断装置１は、図３（Ａ）に示すように、患者１が横臥した状態で、両足首４，５にプラス側取付端子１２ａとマイナス側取付端子１２ｂを直接的に取り付けることによっても患者１の共振周波数を測定することができ、更には、図３（Ｂ）に示すように、患者１が横臥した状態で、片方の足首４にプラス側取付端子１２ａを直接的に取り付け、マイナス側取付端子１２ｂを患者１の腰に取り付けることによっても測定することができ、更にまた、図３（Ｃ）に示すように、プラス側取付端子１２ａとマイナス側取付端子１２ｂとを片方の腕３に直接的に取り付けることによっても、患者１の共振周波数を測定することができる。勿論、図示しないが、患者１の片足にプラス側取付端子１２ａとマイナス側取付端子１２ｂを直接的に取り付けるようにしてもよい。すなわち、プラス側取付端子１２ａとマイナス側取付端子１２ｂの取付位置は、患者１の病状等に応じて決定される。なお、これら取付端子１２ａ，１２ｂは、静電結合や電磁誘導を利用して、間接的、すなわち肌と非接触の状態で取り付けてもよい。
【００１８】
以上のような疾病診断装置１０の周波数発信器１１は、図１に示すように、患者１の共振周波数を検出するための検査信号を生成する。周波数発信器１１は、検査信号の周波数を可変するための操作部１７が設けられており、この検査信号は、この操作部１７を操作することにより周波数が可変される。そして、図２に示すように、この周波数発信器１１のプラス側の出力は、検出部１３を介して、装置本体のプラス側出力端子１８ａに接続され、マイナス側の出力は、装置本体のマイナス側出力端子１８ｂに接続されている。なお、このマイナス側の出力は、接地されている。また、この周波数発信器１１は、検出部１３が患者１の共振周波数を検出したときに、周波数の可変を停止するように自動制御するようにしてもよい。
【００１９】
周波数発信器１１に接続された検出部１３は、図１に示すように、周波数発信器１１から出力された検査信号の周波数を測定すると共に、患者１に検査信号を発信したときに、患者１の共振周波数を検出する。そして、検出部１３は、検査信号の周波数を示す周波数信号を常時制御部１５に供給すると共に、患者１の共振周波数を示す共振周波数信号を制御部１５に供給する。
【００２０】
そして、図１及び図２に示すように、プラス側出力端子１８ａには、接続コード１９ａを介してプラス側取付端子１２ａが接続され、マイナス側出力端子１８ｂには、接続コード１９ｂを介してマイナス側取付端子１２ｂが接続される。これら取付端子１２ａ，１２ｂは、例えば図２及び図３（Ａ）〜図３（Ｃ）に示すように、ベルト１９等によって患者１の体に取り付けられる。
【００２１】
制御部１５は、図１に示すように、検出部１３から患者１の共振周波数信号が供給される。制御部１５は、疾病を有する被験者の共振周波数が記憶されたメモリ１４に接続されている。このメモリ１４には、疾病を有する身体の共振周波数が疾病毎に記憶されている。ここで、メモリ１４に記憶されているテーブルを表１に示す。
【００２２】
【表１】
0003636954.tif 000002
【００２３】
なお、表１に示す各疾病名に対応した共振周波数は、個人差があるため数値に幅を持たせるようにしてもよい。
【００２４】
そして、制御部１５は、検出部１３より共振周波数信号が供給されると、メモリ１４に記憶された疾病に対応した共振周波数の中から最も近似した疾病を選択する。そして、制御部１５は、選択した疾病に関する情報を、医師、薬剤師等の試験者に表示すため、表示部１６に供給する。また、制御部１５は、検出部１３より現在の検査信号の周波数を示す周波数信号が供給され、この信号を表示部１６に供給する。なお、このメモリ１４は、テープカートリッジ、ディスクカートリッジ、メモリカード等の外部記憶媒体を用いて装置本体に対して着脱可能としてもよい。
【００２５】
表示部１６は、周波数を表示する周波数表示部１６ａと疾病名を表示する疾病名表示部１６ｂとからなる。そして、周波数表示部１６ａは、患者１の共振周波数を検出するまでの周波数を試験者に知らせるため、現在の周波数を表示すると共に、患者１の共振周波数を表示する。また、疾病名表示部１６ｂは、患者１の疾病名を表示する。
【００２６】
なお、表示部１６は、必ずしも周波数表示部１６ａと疾病名表示部１６ｂとを設ける必要はなく、周波数表示部１６ａのみでもよく、また、疾病名表示部１６ｂのみであってもよい。また、周波数表示部１６ａは、可変する周波数を随時表示する必要は必ずしも無く、共振周波数のみを表示するようにしてもよい。また、１つの表示部に、周波数と疾病名を選択的に表示するようにしてもよい。更には、表示部１６は、装置本体とは別の表示装置により構成してもよい。更に、表示部１６には、患者１の共振周波数と比較するためメモリ１４の中から選択された疾病に対応する共振周波数を表示するようにしてもよい。
【００２７】
次に、以上のような疾病診断装置１０の制御方法について、図４を参照して説明する。図４に示すように、患者１の所定の位置にプラス側取付端子１２ａとマイナス側取付端子１２ｂを取り付けた後、ステップＳ１において、試験者は、操作部１７を操作して周波数を可変し、周波数発信器１１は、検査信号を患者１に発信する。そして、試験者は、操作部１７を操作して検査信号の周波数を可変する。そして、検出部１３が患者１の共振周波数を検出すると、ステップＳ２に進む。
【００２８】
ステップＳ２において、制御部１５は、検出部１３から供給された患者１の共振周波数を示す共振周波数信号が供給されると、メモリ１４に格納された各疾病に対応した被験者の共振周波数と比較する。そして、制御部１５は、ステップＳ３において、表１に示すメモリに格納されている疾病に対応した身体の共振周波数の中から検出部１３から供給された患者１の共振周波数に最も近似する共振周波数の疾病を選択する。
【００２９】
制御部１５は、ステップＳ４において、表示部１６の周波数表示部１６ａに患者１の実測した共振周波数を表示させると共に、疾病名表示部１６ｂにメモリ１４の中から選択した疾病名を表示する。
【００３０】
以上のような疾病診断装置１０によれば、患者１の共振周波数を測定した後、メモリ１４に設けられたテーブルの疾病に対応した身体の共振周波数と比較し、測定した患者１の共振周波数と最も近似するメモリ１４に格納された共振周波数を選択することで、患者１の疾病を診断することができ、患者１の疾病を試験者の感に頼ることなく、正確且つ迅速に診断することができる。
【００３１】
そして、医師等の試験者は、表示部１６に表示された患者１の共振周波数及び疾病名に基づいて処方及び治療を行う。すなわち、試験者である医師や薬剤師は、患者１の共振周波数と同じ周波数の薬剤を患者１に投与することで、処方し診断することができる。ここで、表２及び表３に、処方する漢方薬とこの漢方薬の周波数を示す。
【００３２】
【表２】
0003636954.tif 000003
【００３３】
【表３】
0003636954.tif 000004
【００３４】
なお、表２及び表３に示す薬剤と周波数の対照表は、上述したメモリ１４に格納しておき、患者１の共振周波数に近似した周波数の薬剤を制御部１５が選択し、表示部１６に表示するようにしてもよい。
【００３５】
医師や薬剤師は、患者１の共振周波数と同じ周波数の薬剤を処方し治療を行う。そして、患者１の共振周波数と表２及び表３に示す薬剤と一致する薬剤が無い場合には、選択した所定周波数の薬剤に不足している周波数の分を加えるようにすればよい。また、周波数の不足分については、色彩医療に基づき、不足分の周波数を有する着色布等を患部に貼り付けるようにすればよい。そして、患者１の共振周波数が上述した７．５Ｈｚ程度になるように治療を行う。
【００３６】
以上、疾病の診断に用いる場合について説明したが、本発明が適用された疾病診断装置１０は、疾病の診断に用いるほか、処方した薬剤等の効能を確認するために用いてもよい。
【００３７】
以下、疾病診断装置１０を用いて、患者１の共振周波数を測定し、この共振周波数に基づいて処方、治療をしたときの例を説明する。
【００３８】
女性  ３５才
子宮ガン手術後、半年も経たないうちに左鼠頸部リンパに転移、陰部に至るまで増殖し、左足は象足のように浮腫、疼痛が激しくモルヒネでも効かない状態。共振周波数は１２１Ｈｚ。８２番カラーの着色布を貼付。ガンの中心部にマグマ２ｍｍ四方（着色布）を一点に貼る。左足部には潜在性ウイルスIIを貼付。この後、測定周波数は、１８Ｈｚに変化した。痛みも消失。２０日後、当該患者の共振周波数を８．５Ｈｚに調整したところ、痛みも完全に消失し、気分がよくなった。本発明が適用された疾病診断装置１０を用いることで、処方する薬剤や着色布の周波数の調整によって効果の有無の判定を容易に行うことができた。
【００３９】
男性  ５０才
肝臓ガン、Ｃ型肝炎。共振周波数は１２０Ｈｚ。８２番カラーの着色布を貼付した。また、マグマ（着色布）を貼付。右背部にかけて痛みがあるので６８番（深部痛）潜在性ウイルス２を貼付した。すると、共振周波数が２０Ｈｚに変化した。漢方薬を併用することにより、６ヶ月後には肝斑も殆ど消失した。
【００４０】
女性  ５７才
脂肪肝と糖尿病。共振周波数は５７Ｈｚ。糖尿と脂肪肝のカラーの着色布を貼付した。すると、共振周波数は１５Ｈｚに変化した。この後、８Ｈｚの着色布を貼付すると、共振周波数が８．５Ｈｚになった。
【００４１】
男性４７才
痴呆症。共振周波数は１５７Ｈｚ。海馬のカラーの着色布を頭部と耳に貼付した。共振周波数は８１Ｈｚに変化した。更に脳、黒質緻密層、アミロイドβタンパク質のカラーの着色布を反応部位に貼付した。すると、共振周波数は１６Ｈｚに下がり、更に８Ｈｚの着色布を追加することにより８．５Ｈｚになった。
【００４２】
女性  ６５才
慢性関節リウマチ、指関節痛、肩関節痛。共振周波数は１１０Ｈｚ。リウマチカラーの着色布を貼り付けた後、共振周波数は１３Ｈｚになり、殆ど痛みはなくなった。５Ｈｚの不織布を加算して共振周波数を８．５Ｈｚに調整したところ、完全に痛みは消失した。
【００４３】
男性  ７２才
Ｃ型肝炎、肝硬変発病１７年時々肝臓のあたりが痛む。共振周波数は１１０Ｈｚ。Ｃ型肝炎、肝硬変カラーの着色布を貼り付けた後、共振周波数は１４Ｈｚとなり、更に、６Ｈｚの着色布を貼り付けた後、肝臓部の痛みは消失した。
【００４４】
女性  ４０才
急性胃炎。共振周波数は２７Ｈｚ。着色布を貼らずに、共振周波数に近い漢方薬、安中散（周波数２７．７７Ｈｚ）を服用したところ５分程度で痛みが消失した。同波長の薬には即効性が見られる。服用後７分には共振周波数は１２Ｈｚとなった。更に、周波数４Ｈｚの漢方薬を服用することで、全く違和感が無くなった。
【００４５】
次に、本発明を適用した疾病診断装置３０について図５を参照して説明する。この疾病診断装置３０は、Ｏリングテストと併用されるものである。ここで、Ｏリングテストとは、図６に示すように、被験者の親指と他の指で互いに指先を近接させてＯリングを形成し、互いに近接した指先を互いに離間させるように外力を加え、上記Ｏリングを維持しようとする被験者の筋力とを拮抗させて、被験者の指の筋力の強弱を判定するテストである。そして、Ｏリングテストは、Ｏリングがすぐ開く場合、身体が異常であり、Ｏリングがすぐ開かない場合、身体が正常であるとし、Ｏリングが開くときに必要な外力の強弱を判定することで、疾病を判断する。
【００４６】
具体的に、身体が正常であるか異常であるかの判定は、便宜的に＋４〜−４までの８段階で示す。そして、Ｏリングが開かない場合をプラスとして、この数値が大きいほど身体が正常であるとし、一方、Ｏリングが開く場合をマイナスとして、この数値が大きいほど異常の程度が大きいものとしている。そして、図５に示す疾病診断装置３０は、Ｏリングテストを行った際に、指先が外力により離間したときの周波数を測定するものである。
【００４７】
この疾病診断装置３０は、図５に示すように、周波数を可変して検査信号を生成する周波数発信器３１と、被験者である患者１に検査信号を供給するため患者１に取り付けられるプラス側取付端子３２ａとマイナス側取付端子３２ｂと、病に対応させた互いに近接した指先が外力により離間したときの身体の周波数が記憶されたメモリ３３と、メモリ３３に記憶された周波数の中から指先が外力により離間したときの周波数に近似した周波数を選択する制御部３４と、制御部３４が選択した周波数を表示する表示部３５とを備える。
【００４８】
以上のような疾病診断装置３０の周波数発信器３１は、Ｏリングテストを行っている患者１の指先が開いたときの周波数を測定するための検査信号を生成する。そして、周波数発信器３１は、検査信号の周波数を可変するための操作部３６が設けられており、この検査信号は、この操作部３６を操作することにより周波数が可変される。そして、この周波数発信器３１のプラス側の出力は、装置本体のプラス側出力端子３７ａに接続され、マイナス側の出力は、装置本体のマイナス側出力端子３７ｂに接続されている。また、周波数発信器３１は、現在の検査信号の周波数を示す周波数信号を制御部３４に随時供給している。なお、このマイナス側の出力は、接地されている。
【００４９】
なお、プラス側取付端子３２ａとマイナス側取付端子３２ｂとは、上述した疾病診断装置１０のプラス側取付端子１２ａとマイナス側取付端子１２ｂと同一の構成を有するため詳細は省略する。これら取付端子３２ａ，３２ｂは、静電結合や電磁誘導を利用して、肌と非接触となるように取り付けてもよい。
【００５０】
制御部３４は、周波数発信器３１より現在の検査信号の周波数を示す周波数信号が随時供給されている。また、制御部３４には、患者１の指先が開いたことを示す検出信号が検出スイッチ３８から供給される。この検出スイッチ３８は、試験者が、患者１の指先が開いたことを確認したときに押され、制御部３４に、患者１の指先が開いたことを示す検出信号を制御部３４に供給する。そして、制御部３４は、この検査信号が検出スイッチ３８供給されたとき、このときの検査信号の周波数と、メモリ３３に記憶された周波数とを比較する。
【００５１】
すなわち、メモリ３３には、テーブルに被験者にＯリングテストを行った際に、指先が開いたときの周波数が疾病毎に記憶されている。そして、制御部３４は、検出スイッチ３８より検査信号が供給されたときの、周波数発信器３１の周波数に最も近似するメモリ３３に記憶されている周波数を検索する。制御部３４は、周波数発信器３１の周波数に最も近似したメモリ３３に記憶された周波数を選択することで、この周波数に対応した疾病を、現在患者がかかっている疾病と診断する。そして、制御部３４は、選択した疾病に関する情報を、医師、薬剤師等の試験者に表示すため、表示部３５に供給する。また、制御部３４は、周波数発信器３１より現在の検査信号の周波数を示す周波数信号が供給され、この信号を表示部３５に供給する。なお、このメモリ３３は、テープカートリッジ、ディスクカートリッジ、メモリカード等の外部記憶媒体を用いて装置本体に対して着脱可能としてもよい。
【００５２】
表示部３５は、試験者に知らせるため周波数発信器３１が生成している検査信号の現在の周波数を制御部３４からの周波数信号に基づいて表示すると共に、患者１のＯリングの指先が開いたときの周波数を表示する。また、表示部３５は、試験者に知らせるため制御部３４が選択した周波数に対応した疾病名を表示する。かくして、試験者は、容易に患者１の疾病名を診断することができる。
【００５３】
次に、以上のような疾病診断装置３０の制御方法を図７を参照して説明する。患者１の所定の位置にプラス側取付端子１２ａとマイナス側取付端子１２ｂを取り付けた後、ステップＳ１１において、試験者は、操作部３６を操作して周波数を可変し、周波数発信器３１は、検査信号を患者１に発信する。このとき、周波数発信器３１は、現在の検査信号の周波数を示す周波数信号を制御部３４に供給し、表示部３５に、現在の周波数を表示するようにしている。これと同時に、患者１には、Ｏリングテストを行う。具体的に、試験者は、患者にＯリングを形成させ、患者１の互いに近接した指先を互いに離間させるように外力を加える。
【００５４】
そして、ステップＳ１２において、試験者が患者１のＯリングに外力を加え、患者１の指先が開いたとき、ステップＳ１３において、試験者は、検出スイッチ３８をオンにする。これにより、検出スイッチ３８は、患者１のＯリングが開いたことを示す検出信号を制御部３４に供給する。
【００５５】
ステップＳ１４において、制御部３４は、検出スイッチ３８がオンになったときの検査信号の周波数を測定し、ステップＳ１５において、メモリ３３に格納された各疾病に対応した被験者のＯリングが開いたときの周波数と比較する。そして、制御部３４は、ステップＳ１６において、メモリに格納されている疾病名に対応した周波数群の中から検出スイッチ３８がオンになったときの患者１の周波数に最も近似する周波数の疾病を選択する。制御部３４は、ステップＳ１７において、表示部３５に患者１の指先が開いたときの周波数を表示させると共に、疾病名を表示する。
【００５６】
以上のような疾病診断装置３０及びこの疾病診断装置３０を用いた疾病の診断方法によれば、Ｏリングを形成している患者１の指先が開いたときの周波数を測定した後、メモリ３３に設けられたテーブルの疾病に対応した周波数と比較し、測定した患者１の指先が開いたときの周波数と最も近似するメモリ３３に格納された周波数を選択することで、患者１の疾病を診断することができ、患者１の疾病を試験者の感に頼ることなく、正確且つ迅速に診断することができる。
【００５７】
以上、疾病診断装置３０及びこの診断装置３０を用いた疾病診断方法の例では、Ｏリングテストを試験者により行う場合について説明したが、Ｏリングテストは例えば特開平７−１５５３１４号公報、特開平８−３８４６３号公報、特開平８−２４２４６号公報等に記載されるＯリングテスト装置により行ってもよい。この場合、患者１の指先が開いたときを検出する検出スイッチは、Ｏリングテスト装置に設けるようにすればよい。
【００５８】
【発明の効果】
本発明によれば、バイ・ディジタルＯリングテストを行う際、Ｏリングを形成している患者の指先が開いたときの周波数を測定した後、メモリに記憶された疾病に対応した周波数と比較し、測定した患者の指先が開いたときの周波数と最も近似するに周波数を選択することで、患者の疾病を診断することができ、患者の疾病を試験者の感に頼ることなく、正確且つ迅速に診断することができる。
【図面の簡単な説明】
【図１】  本発明の参考例となる疾病診断装置のブロック図である。
【図２】  上記疾病診断装置の使用例を示す図である。
【図３】  （Ａ）〜（Ｃ）は、被験者の測定状態を示す図である。
【図４】  上記疾病診断装置を用いた疾病診断方法を説明するフローチャートである。
【図５】  Ｏリングテストと併用して疾病を診断する本発明を適用した疾病診断装置のブロック図である。
【図６】  Ｏリングテストを行っている状態を示す図である。
【図７】  上記疾病診断装置を用いた疾病診断方法を説明するフローチャートである。
【符号の説明】
１ 被験者（患者）、１０ 疾病診断装置、１１ 周波数発信器、１２ａ プラス側取付端子、１２ｂ マイナス側取付端子、１３ 検出部、１４ メモリ、１５ 制御部、１６ 表示部、１７ 操作部、３０ 疾病診断装置、３１ 周波数発信器、３２ａ プラス側取付端子、３２ｂ マイナス側取付端子、３３ メモリ、３４ 制御部、３５ 表示部、３６ 操作部、３７ａ プラス側出力端子、３７ｂ マイナス側出力端子、３８ 検出スイッチ
【図１】
0003636954.tif 000005
【図２】
0003636954.tif 000006
【図３】
0003636954.tif 000007
【図４】
0003636954.tif 000008
【図５】
0003636954.tif 000009
【図６】
0003636954.tif 000010
【図７】
0003636954.tif 000011